(57)【要約】【課題】組付枠に対するパネル型のフィルター部材の誤組み付けを回避することのできるエアフィルターおよびフィルター部材を提供する。【解決手段】エアフィルター１０は、組付枠１５と、組付枠１５に取り外し可能に組み付けられるパネル型のフィルター部材２５とを備え、組付枠１５は、フィルター部材２５が組み付けられる組付口１９と組付口１９の反対側からフィルター部材２５の外周側部２６を支持する外周支持部１８とを有し、フィルター部材２５は、外周側部２６と、外周側部２６の内側に位置する濾過部２９と、外周側部２６に連結されて外周支持部１８に当接する状態において濾過部２９の一部を組付口１９からはみ出させる突出片３１とを有する。【選択図】図２
2019202288.tif 000002
【特許請求の範囲】
【請求項１】
外周側部と前記外周側部の内側に位置する濾過部とを有するパネル型のフィルター部材と、
前記フィルター部材が組み付けられる組付口を有する外枠と前記外枠に前記外周側部が収まる正常組付状態において前記組付口の反対側で前記外周側部を支持する外周支持部とを有して前記フィルター部材が取り外し可能に組み付けられる組付枠とを備え、
前記フィルター部材は、
前記外周側部に連結された突出片であって前記正常組付状態において前記組付口から突出する前記突出片を有する
エアフィルター。
【請求項２】
前記フィルター部材が前記突出片を複数有する
請求項１に記載のエアフィルター。
【請求項３】
前記外周側部は、矩形枠状の形状を有し、
前記突出片は、前記外周側部において互いに対向する一対の側面部に連結されている
請求項２に記載のエアフィルター。
【請求項４】
前記外周側部は、弾性を有しており、
前記組付枠は、前記外枠に連結されて前記正常組付状態において前記フィルター部材の外周部の少なくとも一部を前記組付口側から覆う脱落防止片を有する
請求項１〜３のいずれか一項に記載のエアフィルター。
【請求項５】
外周側部と前記外周側部の内側に位置する濾過部とを有して組付枠に対して取り外し可能に組み付けられるパネル型のフィルター部材であって、
前記組付枠は、
前記フィルター部材が組み付けられる組付口を有する外枠と前記外枠に前記外周側部が収まる正常組付状態において前記組付口の反対側で前記外周側部を支持する外周支持部とを有し、
前記フィルター部材は、
前記外周側部に連結された突出片であって前記正常組付状態において前記組付口から突出する前記突出片を有する
フィルター部材。
【発明の詳細な説明】
【技術分野】
【０００１】
本発明は、バッテリー冷却装置に用いられるエアフィルターおよび該エアフィルターを構成するパネル型のフィルター部材に関する。
【背景技術】
【０００２】
ハイブリッド自動車や電気自動車は、バッテリーの性能低下を抑えることを目的の１つとしてバッテリーを冷却するバッテリー冷却装置を備えている。例えば特許文献１には、車室の空調された空気を用いてバッテリーを冷却するバッテリー冷却装置が開示されている。近年では観光バスなどの大型自動車についてもハイブリッド自動車や電気自動車が実用化されており、こうした大型自動車にも車室の空調された空気を用いてバッテリーを冷却するバッテリー冷却装置が採用されている。
【０００３】
こうしたバッテリー冷却装置においては、車室内の空調された空気を用いてバッテリーを冷却しているとはいえ、その空気をそのままバッテリーの冷却に用いたのでは空気中の塵埃がバッテリーに供給されてしまう。そのため、吸気ダクトは、空気中の塵埃を取り除くエアフィルターを有している。エアフィルターは、組付枠と組付枠に対して取り外し可能に組み付けられて洗浄により再利用可能なフィルター部材を有している。
【先行技術文献】
【特許文献】
【０００４】
【特許文献１】特開２００９−１２６０６号公報
【発明の概要】
【発明が解決しようとする課題】
【０００５】
こうしたフィルター部材の１つであるパネル型のフィルター部材は、濾過前の空気が流入するおもて面と濾過後の空気が流出するうら面とを有している。そのため、清浄後におもて面とうら面とが反対に組み付けられてしまうと、フィルター部材に残存している塵埃がバッテリーに供給されるおそれがある。
【０００６】
本発明の目的は、組付枠に対するパネル型のフィルター部材の誤組み付けを回避することのできるエアフィルターおよびフィルター部材を提供することにある。
【課題を解決するための手段】
【０００７】
上記課題を解決するエアフィルターは、外周側部と前記外周側部の内側に位置する濾過部とを有するパネル型のフィルター部材と、前記フィルター部材が組み付けられる組付口を有する外枠と前記外枠に前記外周側部が収まる正常組付状態において前記組付口の反対側で前記外周側部を支持する外周支持部とを有して前記フィルター部材が取り外し可能に組み付けられる組付枠とを備え、前記フィルター部材は、前記外周側部に連結された突出片であって前記正常組付状態において前記組付口から突出する前記突出片を有する。
【０００８】
上記課題を解決するフィルター部材は、外周側部と前記外周側部の内側に位置する濾過部とを有して組付枠に対して取り外し可能に組み付けられるパネル型のフィルター部材であって、前記組付枠は、前記フィルター部材が組み付けられる組付口を有する外枠と前記外枠に前記外周側部が収まる正常組付状態において前記組付口の反対側で前記外周側部を支持する外周支持部とを有し、前記フィルター部材は、前記外周側部に連結された突出片であって前記正常組付状態において前記組付口から突出する前記突出片を有する。
【０００９】
上記構成によれば、フィルター部材が組付枠に対して誤組み付けされた場合に外周支持部に対して突出片を当接させることができる。これにより、外周側部が外枠に収まらずに組付口からはみ出すことから、フィルター部材の誤組み付けを容易に把握できる。その結果、フィルター部材の誤組み付けを回避することができる。
【００１０】
上記課題を解決するエアフィルターは、前記フィルター部材が前記突出片を複数有することが好ましい。
上記構成によれば、誤組み付けの際に外周支持部に突出片が当接する確率を高めることができる。その結果、フィルター部材の誤組み付けをより確実に回避することができる。
【００１１】
上記課題を解決するエアフィルターにおいて、前記外周側部は、矩形枠状の形状を有し、前記突出片は、前記外周側部において互いに対向する一対の側面部に連結されていることが好ましい。
【００１２】
上記構成によれば、例えばフィルター部材が傾斜した状態で組付口から組み付けられた場合などにおいても、組み付け時に少なくとも一方の突出片が組付枠と干渉する。その結果、フィルター部材の誤組み付けをさらに確実に回避することができる。
【００１３】
上記構成のエアフィルターにおいて、前記外周側部は、弾性を有しており、前記組付枠は、前記外枠に連結されて前記正常組付状態において前記フィルター部材の外周部の少なくとも一部を前記組付口側から覆う脱落防止片を有することが好ましい。
【００１４】
上記構成によれば、正常組み付け後のフィルター部材の脱落が脱落防止片によって防止される。また、フィルター部材を組付枠に組み付ける際、外周側部を弾性変形させることによりフィルター部材と脱落防止片との干渉を回避することができる。すなわち、上記構成によれば、例えば留め具などでフィルター部材を組付枠に留める必要がない。これにより、フィルター部材の誤組付けを防止しつつ組み付け作業の簡素化を図ることができる。
【図面の簡単な説明】
【００１５】
【図１】エアフィルターの一実施形態の概略構成を示す斜視図であって、組付枠に対してフィルター部材の一実施形態が正常に組み付けられた正常組付状態を示す斜視図。
【図２】組付枠と組付枠に対して正しい方向で組み付けられるフィルター部材とを示す分解斜視図。
【図３】正常組付状態におけるエアフィルターの一例を示す側面図であって、組付枠を断面にして示す図。
【図４】誤組付状態におけるエアフィルターの一例を示す側面図であって、組付枠を断面にして示す図。
【図５】変形例における突出片の形状の一例を示す図。
【発明を実施するための形態】
【００１６】
図１〜図４を参照してエアフィルターおよびフィルター部材の一実施形態について説明する。
図１に示すように、エアフィルター１０は、例えばハイブリッド自動車などに搭載されるバッテリー冷却装置に用いられる。エアフィルター１０は、吸気ダクト１１の先端部に対して、例えば図示されない留め具によって着脱可能に取り付けられている。エアフィルター１０は、組付枠１５とパネル型のフィルター部材２５とを備えている。
【００１７】
図２に示すように、組付枠１５は、矩形枠状の形状を有しており、例えばアルミニウムなどの金属板を変形加工・接合加工することにより作製される。組付枠１５は、外枠１６、脱落防止片１７、および、外周支持部１８を有している。外枠１６は、パネル型のフィルター部材２５を側方から覆うとともにフィルター部材２５が組み付けられる組付口１９を形成する。外枠１６は、互いに対向する一対の短辺枠部２０と、互いに対向する一対の長辺枠部２１とを有している。脱落防止片１７は、外枠１６の隅部、すなわち短辺枠部２０と長辺枠部２１とがなす角部において組付口１９の周端部を覆っている。脱落防止片１７は、組付枠１５に組み付けられたフィルター部材２５の外周部の少なくとも一部を組付口１９側から覆うことにより、組付口１９からフィルター部材２５が脱落することを防止する。外周支持部１８は、外枠１６における組付口１９の反対側に位置しており、外枠１６の全周において内側に向かって延びる片状の形状を有しており、組付枠１５に組み付けられたフィルター部材２５の外周側部２６を組付口１９の反対側から支持する。
【００１８】
フィルター部材２５は、外周側部２６、濾過部２９、および、突出片３１を備えている。外周側部２６は、互いに対向する一対の短辺側部２７と互いに対向する一対の長辺側部２８とを有する矩形枠状の枠体であり、例えば不織布などで作製されることにより弾性が付与されている。短辺側部２７および長辺側部２８は、正常組付状態において外周側部２６が組付枠１５の外枠１６に収まるように、組付枠１５における脱落防止片１７と外周支持部１８との間の距離Ｌ１よりも小さい側部高さＨ１を有している。また、短辺側部２７の一端部２７ａおよび長辺側部２８の一端部２８ａは、正常組付状態において組付枠１５の外周支持部１８に支持される仮想的な平坦面である組付面２５ａを形成する。
【００１９】
濾過部２９は、一対の長辺側部２８が対向する方向で折り曲げ部３０が並んだ蛇腹形状を有している。濾過部２９は、例えば不織布などで作製されており、空気を濾過することにより空気に含まれている塵埃をより取り除く。濾過部２９は、弾性を有しており、折り曲げ部３０が並ぶ方向、すなわち一対の長辺側部２８が互いに近づく方向に弾性変形可能に構成されている。
【００２０】
突出片３１は、外周側部２６における一対の短辺側部２７の各々に一体的に連結されている。各突出片３１は、短辺側部２７の他端部２７ｂにおける中央部分から組付面２５ａとは反対方向へ突出している。フィルター部材２５において、外周側部２６と突出片３１とを合わせた部分の高さである最大高さＨ２は、組付枠１５における外枠１６の高さである外枠高さＨ３よりも大きい値に設定される。フィルター部材２５は、一対の長辺側部２８を近づけるように弾性変形させて外周側部２６の各隅部を中心側に互いに近づけた状態で組付枠１５に組み付けられることにより、組み付け時における脱落防止片１７との干渉が回避される。
【００２１】
図３に示すように、組付枠１５に対してフィルター部材２５が正しい方向で組み付けられた正常組付状態においては、フィルター部材２５の外周側部２６が組付枠１５の外周支持部１８によって支持される。そのため、組付枠１５の組付口１９から突出片３１の一部が突出した状態となる。
【００２２】
一方、図４に示すように、組付枠１５に対してフィルター部材２５が誤った方向で組み付けられた誤組付状態においては、一対の突出片３１の少なくとも一方が外周支持部１８に当接するため、組付枠１５の組付口１９からフィルター部材２５の外周側部２６および濾過部２９の一部がはみ出した状態となる。また、フィルター部材２５の一部が脱落防止片１７によって変形した状態にもなる。こうしたフィルター部材２５のはみ出しや変形により、フィルター部材２５の組み付け方向が反対であったことを容易に把握することができる。その結果、フィルター部材２５の誤組み付けを回避することができる。
【００２３】
上記実施形態のエアフィルター１０およびフィルター部材２５によれば以下の作用効果が得られる。
（１）フィルター部材２５は、外周側部２６に一体的に連結されて、誤組付状態において外周側部２６および濾過部２９の一部を組付枠１５からはみ出させる突出片３１を有している。そのため、フィルター部材２５の誤組み付けを容易に把握することができる。その結果、フィルター部材の誤組み付けを回避することができる。
【００２４】
（２）フィルター部材２５は、複数の突出片３１を有している。このようにフィルター部材２５が複数の突出片３１を有していることにより、例えば組み付け時にフィルター部材２５が傾斜していたことに起因して突出片３１の一部が外周支持部１８の内側を通過したとしても、残りの突出片３１が外周支持部１８に当接することが可能である。すなわち、誤組み付け時に外周支持部１８に突出片３１が当接する確率を高めることができる。
【００２５】
（３）フィルター部材２５は、互いに対向する短辺側部２７の各々に突出片３１を有している。そのため、例えば、一対の短辺側部２７の位置関係が組付口１９に対して傾斜した状態でフィルター部材２５が組付枠１５に組み付けられて一方の突出片３１が外周支持部１８の内側を通過したとしても、他方の突出片３１が組付枠１５のどことかと干渉する。すなわち、上記構成によれば、組み付け時に少なくとも一方の突出片３１が組付枠１５と干渉することとなる。その結果、フィルター部材２５の誤組み付けをさらに確実に回避することができる。
【００２６】
（４）フィルター部材２５は、外周側部２６が弾性を有していることにより、一対の長辺側部２８が近づくように弾性変形させた状態で組付枠１５に組み付けることができる。また、組付枠１５は、脱落防止片１７によってフィルター部材２５の脱落を防止することができる。このように外周側部２６が弾性を有しているとともに組付枠１５が脱落防止片１７を有してことにより、例えば留め具などを用いてフィルター部材２５を組付枠１５に組み付ける構成に比べて、フィルター部材２５の誤組み付けを回避しつつ、フィルター部材２５の組み付けを容易に行いことができる。
【００２７】
（５）フィルター部材２５は、短辺側部２７に形成された突出片３１と、長辺側部２８が延びる方向に沿って折り曲げ部３０が延びる濾過部２９とを有している。そのため、組み付け時におけるフィルター部材２５の弾性変形は、一対の長辺側部２８を互いに近づける変形となる。そして、突出片３１は、短辺側部２７の中央部分、すなわち外周側部２６のうちでフィルター部材２５の弾性変形時に最も影響の受けにくい場所に形成されている。これにより、突出片３１の形成に起因してフィルター部材２５の弾性変形に要する力が大きく変化することもない。その結果、フィルター部材２５の組み付け作業に大きな変化を与えることなく、フィルター部材２５の誤組み付けを回避することができる。
【００２８】
なお、上記実施形態は、以下のように適宜変更して実施することもできる。
・フィルター部材２５は、組付枠１５に対して組み付けられるものであればよく、外周側部２６に弾性を有するものに限られない。例えば外周側部２６は樹脂などで形成されていてもよい。
【００２９】
・組付枠１５は、組付口１９においてフィルター部材２５の外周部の一部を覆うことによりフィルター部材２５の脱落を防止する脱落防止片１７を有していなくともよい。
・突出片３１は、外周支持部１８に当接する状態において濾過部２９の一部を組付口１９からはみ出させるものであればよい。そのため、突出片３１は、外周側部２６に連結されていればよく、その形成位置は一対の長辺側部２８であってもよい。また、突出片３１は、２つに限らず１つであってもよいし、３以上であってもよい。
【００３０】
・組付枠１５およびフィルター部材２５は、矩形枠状の形状を有する枠体を有するものに限らず、例えば円形状や楕円形状、多角形状の枠体を有するものであってもよい。
・フィルター部材２５の外周側部２６は、濾過部２９を側方から支持するものであればよく、枠状の形状を有するものに限らず、例えば一対の短辺側部２７のみによって構成されていてもよい。
【００３１】
・図５に示すように、突出片３１は、外周側部２６よりも外側へ先端部を配置する屈曲部３２を有していてもよい。こうした構成によれば、フィルター部材２５の誤組み付け時、突出片３１は、その先端部が外枠１６に案内されることで外周支持部１８に当接しやすくなる。
【符号の説明】
【００３２】
１０…エアフィルター、１１…吸気ダクト、１５…組付枠、１６…外枠、１７…脱落防止片、１８…外周支持部、１９…組付口、２０…短辺枠部、２１…長辺枠部、２５…フィルター部材、２５ａ…組付面、２６…外周側部、２７…短辺側部、２７ａ…一端部、２７ｂ…他端部、２８…長辺側部、２８ａ…一端部、２９…濾過部、３０…折り曲げ部、３１…突出片、３２…屈曲部。
【図１】
2019202288.tif 000003
【図２】
2019202288.tif 000004
【図３】
2019202288.tif 000005
【図４】
2019202288.tif 000006
【図５】
2019202288.tif 000007